(57)【要約】【課題】意図しない位置にロープが取り付けられることなく、複雑な形状の樹木や枝が輻輳した狭小スペースであっても狙った位置にロープを取り付けることが可能なロープ取付用治具とロープ取付用補助治具を提供する。【解決手段】所要長さを有する操作ロッド１０と、操作ロッド１０の先端部１１に取り付けられ、ロープＲＰを保持するロープ保持部２０と、を具備し、ロープ保持部２０には線条部材２２Ａからなる螺旋体２２が取り付けられていることを特徴とするロープ取付用治具１００である。【選択図】図１
0003233789.tif 000002
【実用新案登録請求の範囲】
【請求項１】
所要長さを有する操作ロッドと、
前記操作ロッドの先端部に取り付けられ、ロープを保持するロープ保持部と、を具備し、
前記ロープ保持部には線条部材からなる螺旋体が取り付けられていることを特徴とするロープ取付用治具。
【請求項２】
前記螺旋体の延伸方向中心軸は、前記操作ロッドの中心軸に対して傾斜した状態で前記操作ロッドに取り付けられていることを特徴とする請求項１記載のロープ取付用治具。
【請求項３】
前記螺旋体は正面視円弧状に形成されていることを特徴とする請求項１または２記載のロープ取付用治具。
【請求項４】
前記螺旋体における前記線条部材の螺旋間隔は、前記ロープの外径寸法以上であることを特徴とする請求項１〜３のうちのいずれか一項に記載のロープ取付用治具。
【請求項５】
前記ロープ保持部は、前記操作ロッドに着脱可能であることを特徴とする請求項１〜４のうちのいずれか一項に記載のロープ取付用治具。
【請求項６】
前記操作ロッドは、伸縮可能であることを特徴とする請求項１〜５のうちのいずれか一項に記載のロープ取付用治具。
【請求項７】
所要長さを有する操作ロッドと、
前記操作ロッドの先端部に取り付けられ、目標物に掛けられたロープを係止するロープ係止部と、を具備することを特徴とするロープ取付用補助治具。
【請求項８】
前記ロープ係止部は、正面視Ｊ字状に形成されていることを特徴とする請求項７記載のロープ取付用補助治具。
【請求項９】
前記ロープ係止部の先端には、ロープ抜け止め体が設けられていることを特徴とする請求項７または８記載のロープ取付用補助治具。
【考案の詳細な説明】
【技術分野】
【０００１】
本考案はロープ取付用治具とロープ取付用補助治具に関する。
【背景技術】
【０００２】
樹木を伐採する際には、伐採方向を誘導するためのロープを伐採対象の樹木の上部に取り付ける必要がある。このように伐採対象の樹木にロープを取り付ける際に用いられるロープ取付用治具としては、例えば特許文献１（特開２０１９−９７４７７号公報）に開示されているような構成が提案されている。
【先行技術文献】
【特許文献】
【０００３】
【特許文献１】特開２０１９−９７４７７号公報
【考案の概要】
【考案が解決しようとする課題】
【０００４】
特許文献１に開示されているロープ取付用治具は、操作杆の先端に取り付けたロープの装着部を双安定ばねで形成したものである。具体的には操作杆の先端のロープの装着部を伐採対象樹木の所定位置まで接近させ、伸長状態の双安定ばねを樹木の所定位置に接触させることで伸長状態の双安定ばねを渦巻きばね状に状態変化させることで樹木にロープを取り付けるものである。しかしながらロープの装着部に双安定ばねを用いているため、樹木の所定位置に到達する前に意図しない位置で双安定ばねが樹木に接触し、樹木にロープが取り付けられてしまう不具合がある。したがって、特許文献１に開示されているロープ取付用治具では、複雑な枝の形状の樹木や枝が輻輳した狭小スペースへのロープの送り込みや、複数の枝にロープを取り付けることが困難であるといった課題がある。
【課題を解決するための手段】
【０００５】
そこで本考案は、意図しない目標物位置へのロープの取り付けをなくし、樹木に代表されるような複雑な形状の目標物や枝が輻輳した狭小スペースであっても狙った位置で目標物にロープを取り付けすることが可能なロープ取付用治具とロープ取付用補助治具の提供を目的としている。
【０００６】
上記課題を解決するために本考案者は鋭意研究を行った結果、以下の構成に想到した。すなわち、所要長さを有する操作ロッドと、前記操作ロッドの先端部に取り付けられ、ロープを保持するロープ保持部と、を具備し、前記ロープ保持部には線条部材からなる螺旋体が取り付けられていることを特徴とするロープ取付用治具である。
【０００７】
これにより、作業者の意図しない位置で目標物にロープが取り付けられてしまうことがなく、樹木に代表されるような複雑な形状の目標物や枝が輻輳した狭小スペースであっても狙った位置で目標物にロープを取り付けることができる。
【０００８】
また、前記螺旋体の延伸方向中心軸は、前記操作ロッドの中心軸に対して傾斜した状態で前記操作ロッドに取り付けられていることが好ましい。また、前記螺旋体は正面視円弧状に形成されていることが好ましい。
【０００９】
これらにより、ロープを目標物に取り付ける際において、目標物に対する一方の面側からであってもロープを目標物に巻き付けやすくなる。
【００１０】
また、前記螺旋体における前記線条部材の螺旋間隔は、前記ロープの外径寸法以上であることが好ましい。
【００１１】
これにより、ロープを容易にロープ保持部に保持させることができる。
【００１２】
また、前記ロープ保持部は、前記操作ロッドに着脱可能であることことが好ましい。また、前記操作ロッドは、伸縮可能であることが好ましい。
【００１３】
これらにより、現場の状況に応じて、ロープ保持部の最適化および操作ロッドの長さの最適化が可能になる。
【００１４】
また、所要長さを有する操作ロッドと、前記操作ロッドの先端部に取り付けられ、目標物に掛けられたロープを係止するロープ係止部と、を具備することを特徴とするロープ取付用補助治具としての考案もある。
【００１５】
これにより、目標物に掛けられたロープを容易に地上位置まで手繰り寄せることができる。
【００１６】
また、前記ロープ係止部は、正面視Ｊ字状に形成されていることが好ましい。また、前記ロープ係止部の先端には、ロープ抜け止め体が設けられていることが好ましい。
【００１７】
これらによりロープ係止部からのロープの脱落を防止し、確実に地上位置までロープを手繰り寄せることができる。
【考案の効果】
【００１８】
本考案にかかるロープ取付用治具の構成を採用することにより、意図しない位置へのロープの取り付けをなくし、樹木に代表されるような複雑な形状の目標物や枝が輻輳した狭小スペースであっても狙った位置で目標物にロープを取り付けすることが可能になる。また、本考案にかかるロープ取付用補助治具を用いることで、ロープ取付用治具を用いて目標物に取り付けたロープを確実に地上位置まで手繰り寄せることができる。
【図面の簡単な説明】
【００１９】
【図１】本実施形態におけるロープ係止用治具の正面図である。
【図２】操作ロッドの先端部からロープ保持部およびロープ係止部を取り外した状態を示す要部斜視図である。
【図３】ロープ保持部にロープを保持させている状態を示す要部正面図である。
【図４】ロープ保持部にロープを保持させている状態を示す要部正面図である。
【図５】ロープ保持体にロープを保持させた状態を示す要部正面図である。
【図６】本実施形態におけるロープ取付用治具の使用状態例を示す要部斜視図である。
【図７】伐採対象樹木に掛け渡したロープをロープ取付用補助治具に係止させた状態を示す要部斜視図である。
【図８】ロープの先端を地上まで引き下ろした状態を示す斜視図である。
【図９】ロープにＵクレビスを取り付けている状態を示す要部説明図である。
【図１０】ロープにＵクレビスを取り付けた状態を示す要部説明図である。
【図１１】Ｕクレビスとロープ先端部で樹木にロープを固定した状態を示す要部説明図である。
【考案を実施するための形態】
【００２０】
以下、本考案におけるロープ取付用治具とロープ取付用補助治具の実施形態について図面に基づいて具体的に説明する。本実施形態においては伐採対象の樹木をロープの取り付けを行う目標物として説明を行うが、目標物は伐採対象の樹木に限定されるものではない。
【００２１】
本実施形態におけるロープ取付用治具１００は、図１に示すように、操作ロッド１０と、操作ロッド１０の先端部１１に取り付けられ、ロープＲＰを保持するロープ保持部２０と、を具備している。
【００２２】
本実施形態における操作ロッド１０は、複数本の分割ロッド１３をストッパ１４で継ぎ足すことにより形成されている。図２に示すように、操作ロッド１０の先端部１１には雄ねじ部１１Ａが形成されており、後述するロープ保持部２０およびロープ係止部３０が着脱可能になっている。分割ロッド１３は、基部１２の側から先端部１１の側に向かって外径寸法が徐々に小径となる筒体に形成されている。分割ロッド１３の基部１２の側に配設されたストッパ１４を締結および弛緩させることで、それぞれの分割ロッド１３を独立して長手方向に引き出しおよび収容させることができる。このような構成はカメラ用三脚等における伸縮機構と同様の機構を採用することができるため、詳細な説明は省略する。また、操作ロッド１０の基部１２にはグリップ部１５が取り付けられている。
【００２３】
ロープ保持部２０は、操作ロッド１０の雄ねじ部１１Ａに螺合する雌ねじキャップ体２１と、雌ねじキャップ体２１に取り付けられた螺旋体２２と、を有している。螺旋体２２は、溶接等の公知の手法により雌ねじキャップ体２１に取り付けられている。本実施形態における螺旋体２２は、ステンレススチール製の線条部材２２Ａをコイルばね状に形成されている。螺旋体２２の内部空間における内径寸法はロープＲＰの外径寸法よりも大径に形成され、螺旋体２２の外径寸法は操作ロッド１０の先端部１１の外径寸法と同程度に形成されている。また、螺旋体２２の先端部側を先細り形状に形成してもよい。
【００２４】
また、本実施形態においては、線条部材２２Ａによる螺旋間隔ＳＰがロープＲＰの外径寸法よりも広く、かつ、螺旋体２２の内部空間の内径寸法よりも広く形成されている。このような螺旋体２２を採用することにより、ロープ保持部２０へのロープＲＰの保持を容易に行うことができると共に、複雑に入り込んだ樹木ＷＤの枝ＢＲの中をすり抜けやすく、樹木ＷＤの狙った位置（狙った枝ＢＲ）に確実にロープＲＰを送り込むことができる。
【００２５】
図１等からも明らかなように、螺旋体２２の延伸方向中心軸２３は、雌ねじキャップ体２１および操作ロッド１０の延伸方向における中心軸ＣＡに対して傾斜した状態で雌ねじキャップ体２１に取り付けられている。このように操作ロッド１０の中心軸ＣＡに対して傾斜させた状態で螺旋体２２（ロープ保持部２０）を取り付けることで、ロープ取付用治具１００に保持させたロープＲＰの先端ＴＰを狙った枝ＢＲの外表面に沿って周り込ませ易くなる。
【００２６】
本実施形態における螺旋体２２は、正面視略円弧形状に形成されているが、この形態に限定されるものではない。例えば、螺旋体２２の全体を雌ねじキャップ体２１に直線状に傾斜させた状態で雌ねじキャップ体２１に取り付けた形態を採用することもできる。また、螺旋体２２の延伸方向の中途部分で屈曲させたへの字状に形成することで、雌ねじキャップ体２１との取り付け部分を含む所要長さ範囲が雌ねじキャップ体２１と一直線状となる形態を採用してもよい。いずれの変形例を採用しても本実施形態の螺旋体２２と同様の作用効果を得ることができる。
【００２７】
次に図２を用いて本実施形態におけるロープ取付用補助治具２００の構成を説明する。ロープ取付用補助治具２００は、ロープ取付用治具１００と共に用いられるものであって、樹木ＷＤの枝ＢＲに掛け渡したロープＲＰの先端を係止してロープＲＰを地上に手繰り寄せるためのものである。ロープ取付用補助治具２００は、操作ロッド１０とロープ係止部３０とを具備している。本実施形態におけるロープ取付用補助治具２００の操作ロッド１０は、ロープ取付用治具１００の操作ロッド１０と構成が共通しているため、本明細書中においては符号を共通させることで詳細な説明は省略している。
【００２８】
ロープ係止部３０は、操作ロッド１０の先端部１１の雄ねじ部１１Ａに螺合する雌ねじキャップ体３１と、雌ねじキャップ体３１に取り付けられた係止具３２と、を有している。本実施形態における係止具３２は、ステンレススチール製の線条体により正面視Ｊ字形状（鉤形状）に形成されていて、粘着テープによる巻き付け等に代表される公知の手法により雌ねじキャップ体３１に取り付けられている。本実施形態における係止具３２のように、係止具３２の先端にはロープ抜け止め体としての合成樹脂製のキャップ体３３を取り付けてもよい。このようなキャップ体３３を装着することで係止具３２に係止させたロープＲＰが係止具３２から逸脱することを防止することができると共に、地上へのロープＲＰの手繰り寄せも容易に行うことができる点で好都合である。
【００２９】
次に、以上に説明したロープ取付用治具１００と、ロープ取付用補助治具２００とを用いた樹木ＷＤへのロープＲＰの取り付け方法について説明する。作業者は、図３〜図５に示すように、ロープ取付用治具１００のロープ保持部２０にロープＲＰの先端部所要範囲を保持させる。具体的には、図３、図４に示すように、ロープ保持部２０の螺旋体２２の螺旋間隔ＳＰにより形成された隙間部分から内部空間へロープＲＰを絡めるようにして差し込み、ロープＲＰの先端部所要範囲を螺旋体２２の先端からはみ出させた状態で保持させる。
【００３０】
ロープ保持部２０へのロープＲＰの装着が完了した後、作業者は、ストッパ１４を操作して操作ロッド１０を適宜伸ばしながらロープ保持部２０を伐採対象の樹木ＷＤの狙った枝ＢＲに向けて送り込む。ロープＲＰは、螺旋体２２からはみ出している所要長さ範囲がテープ巻き等によって補強されている。これにより、螺旋体２２が湾曲していてもロープＲＰの先端ＴＰが樹木ＷＤの枝ＢＲの間をすり抜けさせる他、枝ＢＲに螺旋体２２を当接させて一時的に変形させながらロープＲＰを狙った枝ＢＲの位置に送り込むことができる。また、ロープＲＰを樹木ＷＤの狙った枝ＢＲの位置に送り込むときには、ロープＲＰにテンションがかからないように操作ロッド１０の伸長動作に合わせてロープＲＰを地上から適宜送り出しすることが好ましい。
【００３１】
そして図６に示すように、ロープＲＰを伐採対象の樹木ＷＤの狙った枝ＢＲの位置まで到達させ、枝ＢＲ等に当たらない状態にすると、螺旋体２２が当初形状である湾曲形状に戻り、樹木ＷＤの枝ＢＲの一方の側面側から背面側を経由して他方の側面までロープＲＰを掛け渡すことができる。この後、図７に示すように、作業者はロープ取付用補助治具２００を用いて樹木ＷＤの狙った枝ＢＲに掛け渡したロープＲＰの先端ＴＰをロープ係止部３０に係止する。ロープＲＰの先端ＴＰを係止具３２に係止した後、作業者は、図８に示すように、ロープ取付用補助治具２００を短縮させる等してロープＲＰの先端ＴＰを地上位置まで引き寄せる。
【００３２】
次に作業者は、図９および図１０に示すように、ロープ取付用治具１００およびロープ取付用補助治具２００からロープＲＰを取り外し、ロープＲＰの先端ＴＰの蛇口にＵクレビス４０を取り付けてロープＲＰに環状部ＣＰを形成する。次に作業者は、ロープＲＰの基部側を手繰り寄せて、図１１に示すように環状部ＣＰで樹木ＷＤの枝ＢＲを締め付ける状態にしてロープＲＰの取り付けが完了する。
【００３３】
以上に説明したように、作業者は、本実施形態におけるロープ取付用治具１００およびロープ取付用補助治具２００を用いることで、複雑な形状の樹木ＷＤや枝ＢＲが輻輳した狭小スペースであっても、狙った位置（枝ＢＲ）で樹木ＷＤへのロープＲＰの取り付けができる。そしてロープＲＰの取り付けのために作業者が樹木ＷＤに登る必要がないため、安全な作業が可能になる。
【００３４】
以上に、本考案にかかるロープ取付用治具１００およびロープ取付用補助治具２００について実施形態に基づいて詳細に説明をしたが、本考案の技術的範囲は、以上の実施形態に限定されるものではない。すなわち、考案の要旨を変更しない範囲における適宜変更を施した構成は、本考案の技術的範囲に属する。例えば、本実施形態においては操作ロッド１０が複数本の分割ロッド１３により長さ調整可能に形成されているが、単一部材により形成され、長さ調整機能を有しない操作ロッド１０の形態であってもよい。
【００３５】
また、本実施形態においては、伐採対象の樹木ＷＤの所定位置（枝ＢＲや幹（図示はせず））にロープＲＰを取り付ける形態について説明しているが、この形態に限定されるものではない。互いに近接する複数本の枝ＢＲや幹に対してロープＲＰを取り付けることもできる。
【００３６】
また、本実施形態におけるロープ取付用治具１００は、操作ロッド１０および雌ねじキャップ体２１の中心軸ＣＡに対して螺旋体２２の延伸方向中心軸２３を傾斜させた状態で取り付けた形態について説明しているが、この形態に限定されるものではない。螺旋体２２の延伸方向中心軸２３を操作ロッド１０および雌ねじキャップ体２１の中心軸ＣＡと同一直線上や平行に配置することもできる。これにより操作ロッド１０と螺旋体２２とが一直線状になるが、螺旋体２２の先端からロープＲＰをはみ出させているため、ロープＲＰの自重により螺旋体２２を湾曲させることで樹木ＷＤの枝ＢＲや幹にロープＲＰを掛け渡すことは可能である。
【００３７】
また、本実施形態におけるロープ取付用治具１００およびロープ取付用補助治具２００はいずれも操作ロッド１０の先端部１１が雄ねじ部１１Ａに形成され、ロープ保持部２０およびロープ係止部３０に雌ねじキャップ体２１，３１が形成された形態について説明しているが、この形態に限定されるものではない。操作ロッド１０の先端部１１を雌ねじ部（図示はせず）に形成し、ロープ保持部２０およびロープ係止部３０に操作ロッド１０の先端部１１に形成した雌ねじ部に取り付け可能な雄ねじ部（図示はせず）を形成することもできる。さらには、ねじ締結以外の公知の着脱可能な連結機構の採用や、固定式の形態を採用することもできる。
【００３８】
また、本実施形態においては、螺旋体２２および係止具３２はいずれもステンレススチール製の線条部材２２Ａおよび線条体である形態について説明しているが、ステンレススチール製の線条部材２２Ａおよび線条体に限定されるものではない。そして係止具３２は正面視Ｊ字形状に限定されるものではなく、正面視Ｌ字状等の他の形状にすることもできる。要は、目標物に掛け渡されたロープＲＰの先端ＴＰを係止することができればよい。
【００３９】
さらに以上の実施形態において説明した変形例を適宜組み合わせた形態を採用することもできる。
【符号の説明】
【００４０】
１００  ロープ取付用治具，
１０  操作ロッド，
１１  先端部，１１Ａ  雄ねじ部，１２  基部，１３  分割ロッド，
１４  ストッパ，１５  グリップ部，
２０  ロープ保持部，
２１  雌ねじキャップ体，２２  螺旋体，２２Ａ  線条部材，
２３  延伸方向中心軸，
２００  ロープ取付用補助治具，
３０  ロープ係止部，
３１  雌ねじキャップ体，３２  係止具，３３  キャップ体（ロープ抜け止め体），
４０  Ｕクレビス，
ＣＡ  中心軸，
ＣＰ  環状部，
ＲＰ  ロープ，
ＳＰ  螺旋間隔，
ＴＰ  先端，
ＷＤ  樹木，
ＢＲ  枝
【図１】
0003233789.tif 000003
【図２】
0003233789.tif 000004
【図３】
0003233789.tif 000005
【図４】
0003233789.tif 000006
【図５】
0003233789.tif 000007
【図６】
0003233789.tif 000008
【図７】
0003233789.tif 000009
【図８】
0003233789.tif 000010
【図９】
0003233789.tif 000011
【図１０】
0003233789.tif 000012
【図１１】
0003233789.tif 000013